(57)【要約】【課題】内鍋を重量検出装置に載せて、誘導加熱コイル（ＩＨコイル）との最適距離を保って保持し、また鍋が回転しようとすると、鍋の回転を規制する炊飯器を提供することを目的とする。【解決手段】本体上枠の内壁面に設けた鍋回り止めと鍋回り止めの左右に設けた静止部材で鍋の上端部に接触して、内鍋を重量検出装置に載せた際、誘導加熱コイル（ＩＨコイル）との最適距離を保って保持することができ、また鍋が回転しようとすると、鍋回り止めが抵抗となって、鍋の回転を防止することができるものである。【選択図】図１
2005230224.tif 000002
【特許請求の範囲】
【請求項１】
上面が開口した本体と、前記本体の収納部に着脱自在に収納される鍋と、前記収納部を開閉自在に覆う蓋と、前記鍋を誘導加熱する誘導加熱手段と、前記収納部に設けた重量検出装置を備え、前記重量検出装置は、重量検知素子を有した起歪体と、前記起歪体の一端を固定する固定台と、前記起歪体の他端に固定されるとともに前記鍋の外側底部の略中心部に当接する当て筒とを有し、前記収納部の上端部内面に前記鍋の外側面に当接する弾性体の鍋回り止めと、前記鍋回り止めの両側に一対の静止部材とを設けた炊飯器。
【請求項２】
鍋回り止めおよび静止部材を一体とし、上枠に着脱自在とした請求項１記載の炊飯器。
【請求項３】
鍋回り止めの先端部を途中部より広げた請求項１記載の炊飯器。
【請求項４】
静止部材の上面に段差を設け、鍋回り止めの先端部が前記段差に当接する請求項１記載の炊飯器。
【請求項５】
鍋回り止めの中間部を複数回屈曲させた請求項１記載の炊飯器。
【発明の詳細な説明】
【技術分野】
【０００１】
本発明は重量計測手段により米計量に合致した最適な水計量を得て所望の炊飯が行えるようにした炊飯器に関するものである。
【背景技術】
【０００２】
従来この種の炊飯器は炊飯ヒーターの上に内鍋を載せて、内鍋と被炊飯物と炊飯ヒーターの全体重量を重量計測手段により計量して、米計量に合致した最適な水計量を得ようとしている（例えば、特許文献１参照）。
【０００３】
図７は、特許文献１に記載された従来の重量センサーを用いた炊飯器を示すものである。図７に示すように、炊飯器本体１は、内鍋２、内容器３、炊飯ヒーター４、重量検出装置５を備えている。重量検出装置５はシャーシー６、歪みゲージを貼付した板バネ７、テーブル８で構成されている。内容器３底面に重量検出装置５のシャーシー６が固定され、シャーシー６と板バネ７、テーブル８は底面に対して略平行に取り付けられ、テーブル８には炊飯ヒーター４が取り付けられ、内鍋２は炊飯ヒーター４上に載る。
【０００４】
上記構成において内鍋に米や水の被炊飯物を入れ、本体に収納すると、被炊飯物の重量は炊飯ヒーター４、テーブル８を介して板バネ７に伝わり、板バネ７に貼付した歪みゲージの歪み量を電圧等に変換して被炊飯物の重量を検知する。
【特許文献１】特許第２８３２４５５号公報
【発明の開示】
【発明が解決しようとする課題】
【０００５】
しかしながら、従来例の炊飯器と同様の重量検知手段を、誘導加熱炊飯器に取り付けようとする場合、以下のような問題が生じた。誘導加熱炊飯器においては炊飯時、鍋自体が高温に加熱されることによって鍋の中で水が対流し、その対流による熱伝導で米が加熱される。従って、鍋内の米と水を均一に加熱して炊きムラを生じさせないためには、鍋と誘導加熱コイルとの間の位置関係を最適な状態に固定し、炊飯量に応じて所定の状態、強さの対流を鍋内に起こす必要がある。このため、誘導加熱コイルは３次元的な複雑な形状を有することが多い。一方、誘導加熱コイルを内装する収納部（上部の上枠と下部のコイルベースとから構成される）は、成型性及び量産性を鑑み、通常は樹脂で生産される。鍋は高温になり樹脂の耐熱性はそれほど高くない故に、一般に誘導加熱炊飯器は、鍋が収納部の上端にそのフランジ部などで水平に懸架され、鍋と収納部との間に隙間を有する。従って、従来例の炊飯器と同様の重量検知手段を、誘導加熱炊飯器に取り付けることはできなかった。
【０００６】
また、炊きあがったご飯をしゃもじでほぐす時やご飯を茶碗へよそう時、鍋が容易には回転しないようにしなければならないが、従来例の構成は、鍋の底面はテーブル面に載っているので、鍋は回転を規制されていたが、この構成は、鍋と本体の鍋収納部が接触するため採用できないという課題を有していた。
【０００７】
本発明は前記課題を解決するもので、誘導加熱コイルと鍋との距離を水平方向にも鉛直方向にも一定に保ちつつ、正確に調理物の重量を測定し、測定値に応じて適切に火力制御を行う、電磁誘導加熱を利用した炊飯器を提供することを目的とする。さらに、使用者が炊飯後のご飯をよそう際に、鍋が回転しないようにすることを目的とする。
【課題を解決するための手段】
【０００８】
前記従来の課題を解決するために、本発明は、鍋を誘導加熱する誘導加熱手段と、鍋を収納する収納部に設けた重量検出装置を備え、重量検出装置は、重量検知素子を有した起歪体と、その起歪体の一端を固定する固定台と、起歪体の他端に固定されるとともに鍋の外側底部の略中心部に当接する当て筒とを有し、収納部の上端部内面に鍋の外側面に当接する弾性体の鍋回り止めと、その鍋回り止めの両側に一対の静止部材とを設けた炊飯器としたものであり、鍋を重量検出装置に載せた際、当て筒で鍋底部を支持し、本体収納部の内壁面に設けた鍋回り止めを鍋の上端部に接触させて鍋と収納部との距離を確保することにより、水平方向にも鉛直方向にも、誘導加熱手段（ＩＨコイル）との最適距離を保って保持することができ、また鍋が回転しようとすると、鍋回り止めが鍋の周方向に曲がり、抵抗となって、鍋の回転を阻止することができる。
【発明の効果】
【０００９】
本発明の炊飯器によれば、鍋を重量検出装置に載せて、誘導加熱手段（ＩＨコイル）との最適距離を保って保持することができ、また、使用者が炊飯後のご飯をよそう際に、鍋が回転するのを防ぐことができる。
【発明を実施するための最良の形態】
【００１０】
本発明の請求項１に記載の発明は、上面が開口した本体と、前記本体の収納部に着脱自在に収納される鍋と、前記収納部を開閉自在に覆う蓋と、前記鍋を誘導加熱する誘導加熱手段と、前記収納部に設けた重量検出装置を備え、前記重量検出装置は、重量検知素子を有した起歪体と、前記起歪体の一端を固定する固定台と、前記起歪体の他端に固定されるとともに前記鍋の外側底部の略中心部に当接する当て筒とを有し、前記収納部の上端部内面に前記鍋の外側面に当接する弾性体の鍋回り止めと、前記回り止めの両側に一対の静止部材とを設けたことにより、鍋を重量検出装置に載せた際、当て筒で鍋底部を支持し、本体収納部の内壁面に設けた鍋回り止めを鍋の上端部に接触させて鍋と収納部との距離を確保することにより、水平方向にも鉛直方向にも、誘導加熱手段（ＩＨコイル）との最適距離を保って保持することができ、また鍋が回転しようとすると、鍋回り止めが鍋の周方向に曲がり、鍋の外側面と静止部材の間にはさまり、抵抗となって、鍋の回転を阻止することができる。
【００１１】
本発明の請求項２に記載の発明は、鍋回り止めおよび静止部材を一体とし、上枠に着脱自在としたことにより、鍋の支持構造体をユニット化でき、鍋と鍋回り止めおよび静止部材との距離を正確に設定することができて、鍋の位置決め、回転防止を確実におこなうことができるものである。
【００１２】
本発明の請求項３に記載の発明は、鍋回り止めの先端部を途中部より広げたことにより、鍋回り止めと鍋との接触抵抗力を大きくして、鍋の回転防止が十分に行えるものである。
【００１３】
本発明の請求項４に記載の発明は、静止部材の上面に段差を設け、鍋回り止めの先端部が前記段差に当接するとしたことにより、鍋回転防止を確実に行い、鍋回り止めの引っ張り耐久性を向上させるものである。
【００１４】
本発明の請求項５に記載の発明は、鍋回り止めの中間部を複数回屈曲させたことにより、弾性体である鍋回り止めの反発力を下げることにより、鍋計量の精度が向上する。また鍋が回転しようとすると、鍋回り止めが抵抗となって、鍋の回転を確実に防止することができる。
【００１５】
以下、本発明の実施の形態について、図面を参照しながら、説明する。なお、この実施の形態によって本発明が限定されるものではない。
【００１６】
（実施の形態１）
本発明の第１の実施の形態について図１、図２を参照しながら説明する。図１に示す１０は炊飯器の本体である。本体１０には、その上面を覆う蓋２０が開閉自在に設置されている。本体１０の収納部３０は上方の上枠１２と下方のコイルベース１３とから構成される。１１は、ステンレススチール、鉄など磁性体によって形成される鍋である。鍋１１は、上端開口部に外側にせり出したフランジ１１ａを有し、フランジ１１ａを上枠１２の上端から浮き上がった状態で載置することにより、収納部３０に着脱自在に収納される。鍋１１は収納時に、収納部３０との間に隙間を有する。コイルベースの鍋１１底部に対向する部分に鍋１１を誘導加熱する誘導加熱コイル（誘導加熱手段）１４が配設される。誘導加熱コイル１４は鍋１１の底部の中心の略真下に中心を有する巻線である。
【００１７】
本体１０の底部には重量検知素子である歪みセンサー（図示せず）を貼付した起歪体１６と起歪体１６を固定する固定台１７と起歪体１６のもう一方の端部に固定し、鍋１１の重量を受ける当て筒１５からなる重量検出装置３０を備えている。当て筒１５内には、温度検知手段１８が設けられ、コイルバネで付勢されており、鍋１１を当て筒１５上に載置すると、温度検知手段１８が鍋１１の底面に当接する。１９はシリコンゴムのシート状の小片である鍋回り止めで、その一端が上枠１２に固定され、他端は開放端となっている。鍋回り止め１９の左右両側には静止部材２１が設けられている。
【００１８】
本実施の形態においては、鍋回り止め１９と静止部材２１の組合せで、図２に示されているように、上枠１２の上端開口部に均等に３カ所配置されている。鍋回り止め１９の一端から他端の長さは３カ所等しくなるように、すなわち、上枠１２内壁と鍋１１の外側面上部との水平方向の距離が鍋開口部の外周上において等しくなるようにするものである。
【００１９】
２２は制御基板、２３は操作基板である。制御基板２２にはマイクロコンピューター（図示しない）が搭載されている。マイクロコンピューターはソフトウエアにより、誘導加熱コイル１４に交番磁界を発生させるための電流を制御する。第１の実施の形態の炊飯器は、鍋１１を誘導加熱し、鍋１１内調理物２４を加熱調理する。調理物２４は、炊飯前の米と水または炊き上がったご飯等である。２５は本炊飯器の操作部、２６は表示部、２７は水加減を表示するＬＥＤ、２８は確定ボタン、２９は炊飯ボタンである。
【００２０】
上記構成において動作を説明する。蓋２０を開けて、本体の電源を入れるとマイクロコンピューターと重量検出装置３０に通電され、マイクロコンピューターは予め鍋１１の重量が記憶されているので、鍋１１の有無を検知する。例えば、空の鍋が入っている状態では本体前面の表示部２６には「米計量中」の表示が出る。次に、米計量を確定する確定ボタン２８を押すと、表示部２６に米の量と水加減中の表示がでる。無洗米の場合は、鍋１１に水を入れていくとＬＥＤ２７が左から順次点灯する。米を入れただけの状態では、左端の位置のＬＥＤが点灯する。中央が普通の水加減で中央より右が柔らかめ、中央より左が固めの水加減となる。好みの水加減に設定した後、炊飯ボタンを押すと、炊飯が開始し、設定した硬さのご飯が炊き上がる。米を洗う場合は、確定ボタン２８を押した後、鍋１１を取り出し、洗米し、再度、鍋１１を本体１０に設置する。この時、鍋１１は当て筒１５で鍋底の略中央を支持されると同時に、鍋１１の外側面上部は、上枠１２に設けられたシリコンゴムシートの鍋回り止め１９に接触する。鍋回り止め１９に接触することにより、上枠１２内壁と鍋１１の外側面上部との水平方向の距離が鍋開口部の外周上において等しくなる。従って、鍋１１が当て筒１５で支持され、鍋回り止め１９が鍋１１の外側面上部に接触することにより、鍋１１と誘導加熱コイル１４との距離が一定に保たれるのである。
【００２１】
次に、鍋１１と米と水の重量が計量される。無洗米と同様に、鍋１１に水を注ぎ足していくと、ＬＥＤ２７が左から順次点灯するので、好みの水加減に調節して炊飯ボタン２９を押して、炊飯を開始する。炊飯終了後、ご飯をほぐしたり茶碗にご飯をよそう時、しゃもじの操作で鍋１１が回転しようとすると、鍋１１の回転に合わせて上枠上端に設けた鍋回り止め１９の開放端側が、鍋１１の外側面に沿って曲がり鍋１１の上部外側面と静止部材２１との間に挟まれることになり、その結果、摩擦が大きくなり鍋１１の回転を防止することができるのである。
【００２２】
（実施の形態２）
本発明の第２の実施の形態について図３、図４、図５、図６を参照しながら説明する。上枠１２の上端には複数個の穴４０が設けてあり、穴４０にはキャップ４１が装着される。キャップ４１の下には鍋回り止め１９と左右の静止部材２１と両端には爪４２が設けてあり、爪４２と上枠１２の穴４０に設けたガイド４３の下端が係合してキャップ４１は上枠１２上端に固定される。
【００２３】
上記の構成において動作を説明する。実施の形態１と同様に、鍋１１を本体１０に設置する時、鍋１１は当て筒１５で鍋底の略中央を支持されると同時に、上枠１２に設けられた鍋回り止め１９が鍋１１の上端外側面部に接触する。
【００２４】
そして、鍋回り止め１９とその左右両側に設けられる静止部材２１をキャップ４１と一体化し、上枠１２に着脱自在としたことにより、鍋１１と上枠１２との隙間の距離に合わせて、鍋１１と鍋回り止め１９及び鍋回り止め１９の左右両側に設けた静止部材２１との距離を正確に設定することができて、鍋の位置決めを確実におこなうことができる。
【００２５】
図４に示すように、鍋回り止め１９の先端部１９ａを途中部１９ｂより広げた構成とすることにより、鍋回り止め１９と鍋１１の外側面との接触抵抗力を大きくして、鍋の回転防止が十分に行えるものである。
【００２６】
図５に示すように、静止部材２１の上面に段差２１ａを設け、鍋回り止め１９の先端部が静止部材２１の上面２１ａの段差に当接する構成としたことにより、鍋回転防止を確実に行い、鍋回り止め１９の引っ張り耐久性を向上させるものである。
【００２７】
図６に示すように、鍋回り止め１９の中間部１９ｂを複数回屈曲させたことにより、シート状弾性体の反発力を下げることにより、鍋計量の精度が向上する。また鍋１１が回転しようとすると、鍋回り止め１９の先端部１９ａが抵抗となって、鍋１１の回転を確実に防止することができる。
【産業上の利用可能性】
【００２８】
本発明に係る炊飯器は、家庭用または業務用の炊飯器として有用である。
【図面の簡単な説明】
【００２９】
【図１】本発明の実施の形態１および２における炊飯器の断面図
【図２】同平面図
【図３】同要部分解斜視図
【図４】同要部斜視図
【図５】同要部平面図
【図６】同要部平面図
【図７】従来の炊飯器を示す断面図
【符号の説明】
【００３０】
１１  鍋
１４  誘導加熱手段
１５  当て筒
１６  起歪体
１７  固定台
１９  鍋回り止め
２０  蓋
２１  静止部材
３０  収納部
３１  重量検出装置
【図１】
2005230224.tif 000003
【図２】
2005230224.tif 000004
【図３】
2005230224.tif 000005
【図４】
2005230224.tif 000006
【図５】
2005230224.tif 000007
【図６】
2005230224.tif 000008
【図７】
2005230224.tif 000009